(57)【要約】【課題】洗浄ノズルより食器に向けて洗浄水を噴射して食器を洗浄する食器洗い機において、様々な食器と調理器具を効率よく収容できるようにし、使い勝手を向上する。【解決手段】上方に開口部１４を有する洗浄槽１２に配置した食器かご１５に食器６を収容し、洗浄槽１２を筐体１１に前後方向に移動可能に支持する。食器かご１５は、洗浄槽１２の底部近傍に配置する下かご１６と、この下かご１６の上方に独立して設置可能な上かご１７とで構成する。【選択図】  図１
2004148054.tif 000002
【特許請求の範囲】
【請求項１】
上方に開口部を有する洗浄槽と、前記洗浄槽に配置し食器を収容する食器かごと、前記洗浄槽を前後方向に移動可能に支持する筐体とを備え、前記食器かごは、前記洗浄槽の底部近傍に配置する下かごと、この下かごの上方に独立して設置可能な上かごとで構成した食器洗い機。
【請求項２】
上かごは、少なくともその一部を洗浄槽で支持した請求項１記載の食器洗い機。
【請求項３】
上かごは、洗浄槽の開口部の任意の位置に設置自在な構成とした請求項１または２記載の食器洗い機。
【請求項４】
上かごは、設置高さを調整可能な構成とした請求項１〜３のいずれか１項に記載の食器洗い機。
【請求項５】
上かごは、食器載置部と支持部を有し、前記食器載置部を前記支持部に対して回転可能な構成とした請求項１〜４のいずれか１項に記載の食器洗い機。
【請求項６】
上かごを、洗浄槽に対して着脱するときに食器載置部を持ち上げたとき、支持部が回転しないよう構成した請求項５記載の食器洗い機。
【発明の詳細な説明】
【０００１】
【発明の属する技術分野】
本発明は、洗浄ノズルより食器に向けて洗浄水を噴射して食器を洗浄する食器洗い機に関する。
【０００２】
【従来の技術】
従来、この種の食器洗い機は図６に示すように構成していた。以下、その構成について説明する。
【０００３】
図６に示すように、筐体１は前方に開口部を有するとともに、洗浄槽２を前後方向に移動可能に支持している。洗浄槽２の前方には扉３を取り付けており、筐体１の開口部を開閉する。洗浄槽２は、上方に開口部４を有している。
【０００４】
洗浄槽２内に、洗浄水を噴射する洗浄ノズル５を回転自在に設けるとともに、食器６を収容する食器かご７を配置している。洗浄槽２内の洗浄水はヒータ８によって温水化され、洗浄ポンプ９にて排水口１０から吸い込まれ、洗浄ノズル５に圧送される。洗浄ノズル５より勢いよく噴射される洗浄水によって、食器かご７に収容された食器６を洗浄するように構成している（例えば、特許文献１参照）。
【０００５】
【特許文献１】
特開２００１―４６３０７号公報
【０００６】
【発明が解決しようとする課題】
しかしながら、このような従来の構成では、食器かご７に収容する食器６の配置、大きさが決められており、使い勝手が悪く、様々な食器、調理器具を収容しようとした場合、非常に困難である。
【０００７】
それは、食器かご７を構成する上かご７ａと下かご７ｂがつながっているため、食器６を収容する際、下かご７ｂには上かご７ａまでの大きさの食器６しか収容することができず、収容できる食器６の大きさに制約があった。このため、食器洗い機として、特に前準備における食器かご７への食器６の収容に時間がかかり、様々な食器６の形状、調理器具等の収容条件に制約ができることになる。
【０００８】
本発明は上記従来の課題を解決するもので、様々な食器と調理器具を効率よく収容できるようにし、使い勝手を向上することを目的としている。
【０００９】
【課題を解決するための手段】
本発明は上記目的を達成するために、上方に開口部を有する洗浄槽に配置した食器かごに食器を収容し、洗浄槽を筐体に前後方向に移動可能に支持するよう構成し、食器かごは、洗浄槽の底部近傍に配置する下かごと、この下かごの上方に独立して設置可能な上かごとで構成したものである。
【００１０】
これにより、様々な食器と調理器具を効率良く収容することができ、使い勝手を向上することができる。
【００１１】
【発明の実施の形態】
本発明の請求項１に記載の発明は、上方に開口部を有する洗浄槽と、前記洗浄槽に配置し食器を収容する食器かごと、前記洗浄槽を前後方向に移動可能に支持する筐体とを備え、前記食器かごは、前記洗浄槽の底部近傍に配置する下かごと、この下かごの上方に独立して設置可能な上かごとで構成したものであり、大きな食器、調理器具などを収容するときは上かごを取り外すことで、下かごに収容することができ、小さい食器を収容するときは上かごを配置することで、上かごと下かごに多くの食器を収容することができ、様々な食器と調理器具を効率良く収容することができ、使い勝手を向上することができる。
【００１２】
請求項２に記載の発明は、上記請求項１に記載の発明において、上かごは、少なくともその一部を洗浄槽で支持したものであり、構造簡単で、確実に上かごを支持することができる。
【００１３】
請求項３に記載の発明は、上記請求項１または２に記載の発明において、上かごは、洗浄槽の開口部の任意の位置に設置自在な構成としたものであり、下かごに収容する食器、調理器具に応じて、上かごの配置位置を変えることで、様々な食器と調理器具を効率良く収容することができ、使い勝手を向上することができる。
【００１４】
請求項４に記載の発明は、上記請求項１〜３に記載の発明において、上かごは、設置高さを調整可能な構成としたものであり、下かごに収容する食器、調理器具に応じて、上かごの設置高さを変えることで、様々な食器と調理器具を効率良く収容することができ、使い勝手を向上することができる。
【００１５】
請求項５に記載の発明は、上記請求項１〜４に記載の発明において、上かごは、食器載置部と支持部を有し、前記食器載置部を前記支持部に対して回転可能な構成としたものであり、上かごを支持部により支持した状態で、食器載置部を回転させることで、上かごを取り外さなくても、下かごに容易に食器を収容することができる。
【００１６】
請求項６に記載の発明は、上記請求項５に記載の発明において、上かごを、洗浄槽に対して着脱するときに食器載置部を持ち上げたとき、支持部が回転しないよう構成したものであり、上かごを洗浄槽に着脱するとき、食器載置部を持ちあげても支持部が回転しないため、上かごを容易に着脱することができる。
【００１７】
【実施例】
以下、本発明の実施例について、図面を参照しながら説明する。なお、従来例と同じ構成のものは同一符号を付して説明を省略する。
【００１８】
（実施例１）
図１に示すように、筐体１１は前方に開口部を有するとともに、洗浄槽１２を前後方向に移動可能に支持している。洗浄槽１２の前方には扉１３を取り付けており、筐体１１の開口部を開閉する。洗浄槽１２は、上方に開口部１４を有している。
【００１９】
洗浄槽１２内に、食器６を収容する食器かご１５を配置している。食器かご１５は、洗浄槽１２の底部近傍に配置する下かご１６と、この下かご１６の上方に独立して設置可能な上かご１７とで構成している。洗浄槽１２の内壁に上かご支持部１８を設け、この上かご支持部１８により上かご１７を支持し、下かご１６は、周端部を洗浄槽１２に設けた下かご支持部１９により支持している。
【００２０】
上記構成において作用を説明する。皿、椀類などの大形の食器とコップ、湯呑などの小型の食器を洗浄する場合は、図１の二点鎖線で示すように、洗浄槽１２を引き出した状態で、下かご１６に皿、椀類などの食器６を収容し、その後、上かご１７にコップ、湯呑などの食器６を収容し、上かご１７を洗浄槽１２の内壁に設けた上かご支持部１８に載置して上かご１７を支持し、洗浄する。これにより、上かご１７と下かご１６に多くの食器６を収容することができ、様々な食器を効率良く収容し、洗浄することができる。
【００２１】
つぎに、図２に示すように、皿、椀類などの大形の食器６と調理器具２０を洗浄する場合は、上かご１７を取り外した状態で、下かご１６に皿、椀類などの食器６と調理器具２０を収容し、洗浄する。これにより、皿、椀類などの大形の食器６と調理器具２０を洗浄するときは上かご１７を取り外すことで、下かご１６に収容することができ、様々な食器６と調理器具２０を効率良く収容し、洗浄することができ、使い勝手を向上することができる。
【００２２】
また、上かご１７は、洗浄槽１２の内壁に設けた上かご支持部１８により支持しているので、構造簡単で、確実に上かご１７を支持することができる。
【００２３】
（実施例２）
図３に示すように、上かご支持部１８は、洗浄槽１２の内壁に多数設け、この上かご支持部１８により上かご１７を洗浄槽１２の開口部の任意の位置に設置できるよう構成している。ここで、上かご１７は、食器載置部１７ａと支持部１７ｂを有し、上かご支持部１８により支持部１７ｂを支持し、食器載置部１７ａを支持部１７ｂに対して回転可能な構成としている。他の構成は上記実施例１と同じである。
【００２４】
上記構成において作用を説明する。下かご１６に皿、椀類などの食器や調理器具を収容し、その後、上かご１７にコップ、湯呑などの食器を収容して、上かご１７を上かご支持部１８により支持する際、下かご１６に収容した食器の大きさが小さい箇所の上方に上かご１７が位置するように支持する。
【００２５】
これにより、下かご１７に収容する食器、調理器具に応じて、上かご１７の配置位置を変えることで、様々な食器と調理器具を効率良く収容することができ、使い勝手を向上することができる。
【００２６】
また、上かご１７は、食器載置部１７ａと支持部１７ｂを有し、食器載置部１７ａを支持部１７ｂに対して回転可能な構成としたので、上かご１７を支持部１７ｂにより支持した状態で、食器載置部１７ａを回転させることで、上かご１７を取り外さなくても、下かご１６に容易に食器を収容することができる。
【００２７】
（実施例３）
図４に示すように、上かご支持部２１は、段部２１ａを有して洗浄槽１２の内壁に設け、この上かご支持部２１により上かご１７の設置高さを調整可能に設置できるよう構成している。他の構成は上記実施例１と同じである。
【００２８】
上記構成において作用を説明する。下かご１６に皿、椀類などの食器や調理器具を収容し、その後、上かご１７にコップ、湯呑などの食器を収容して、上かご１７を上かご支持部１８により支持する際、下かご１６に収容した食器の大きさが小さい場合は、上かご１７を低い位置に支持し、下かご１６に収容した食器の大きさが大きい場合は、上かご１７を高い位置に支持する。
【００２９】
これにより、下かご１７に収容する食器、調理器具に応じて、上かご１７の設置高さを変えることで、様々な食器と調理器具を効率良く収容することができ、使い勝手を向上することができる。
【００３０】
（実施例４）
図５に示すように、上かご２２は、食器載置部２２ａと支持部２２ｂを有し、食器載置部２２ａを支持部２２ｂに設けた支点２２ｃを中心として回転可能に支持している。ここで、食器載置部２２ａを形成するピン２２ｄを長くして支持部２２ｂの上方に当たるようにするとともに、支持部２２ｂの支点２２ｃを中心として、ピン２２ｄと反対側の重量をピン２２ｄ側の重量より重くし、食器載置部２２ａを持ち上げたとき、支持部２２ｂが回転しないよう構成している。他の構成は上記実施例１と同じである。
【００３１】
上記構成において作用を説明する。下かご１６に皿、椀類などの食器や調理器具を収容し、その後、上かご２２を洗浄槽１２に対して着脱するとき、食器載置部２２ａを持ち上げると、重量配分により支持部２２ｂは回転することがなく、上かご２２を容易に着脱することができる。
【００３２】
【発明の効果】
以上のように、本発明の請求項１に記載の発明によれば、上方に開口部を有する洗浄槽に配置した食器かごに食器を収容し、洗浄槽を筐体に前後方向に移動可能に支持し、食器かごは、洗浄槽の底部近傍に配置する下かごと、この下かごの上方に独立して設置可能な上かごとで構成したことにより、様々な食器と調理器具を効率良く収容することができ、使い勝手を向上することができる。
【図面の簡単な説明】
【図１】本発明の第１の実施例の食器洗い機の上かごを設置した状態の断面図
【図２】同食器洗い機の上かごを取り外した状態の断面図
【図３】本発明の第２の実施例の食器洗い機の要部斜視図
【図４】本発明の第３の実施例の食器洗い機の要部斜視図
【図５】本発明の第４の実施例の食器洗い機の上かごの側面図
【図６】従来の食器洗い機の断面図
【符号の説明】
６  食器
１１  筐体
１２  洗浄槽
１４  開口部
１５  食器かご
１６  下かご
１７  上かご
【図１】
2004148054.tif 000003
【図２】
2004148054.tif 000004
【図３】
2004148054.tif 000005
【図４】
2004148054.tif 000006
【図５】
2004148054.tif 000007
【図６】
2004148054.tif 000008